(57)【要約】【課題】消費電力を抑えつつ、高調波成分を簡易な構成で抑制することのできる無線送信器を提供する。【解決手段】パルス生成器１１と線形増幅器１３との間に高調波抑制用のフィルタ１２を備えるとともに、増幅器として線形増幅器１３を用い、線形増幅器１３の後段に波長より十分に小さい小型アンテナ１４を備える。これにより、小型アンテナ１４自身が帯域外成分を抑制するので、増幅器の後段に高い減衰率を有するフィルタにより高調波成分を抑制する無線送信器に比べて電力損失量が抑えられるとともに、ディジタル信号処理で波形整形を行う場合に比べて電力消費量が低く抑えられ、簡易かつ小型・低コストで無線送信器を提供することができる。【選択図】図１
2015106876.tif 000002
【特許請求の範囲】
【請求項１】
パルス信号を生成するパルス生成器と、
前記パルス生成器の後段に配置され、前記パルス信号の高調波成分を抑制するフィルタと、
前記フィルタの後段に配置され、前記パルス信号を増幅する線形増幅器と、
前記線形増幅器の後段に配置され、前記パルス信号を無線信号として送信する無線通信の中心周波数に相当する波長より十分に小さいアンテナと、
を有することを特徴とする無線送信装置。
【請求項２】
前記フィルタは、前記パルス信号の三次高調波成分以上を抑制し、
前記アンテナは、差動信号を入力する差動型のアンテナであることを特徴とする請求項１記載の無線送信装置。
【請求項３】
前記線形増幅器と前記アンテナの間に帯域通過フィルタを有することを特徴とする請求項１又は２記載の無線送信装置。
【請求項４】
無線通信を行うときのみ前記線形増幅器に電力を供給する電源制御回路を備えたことを特徴とする請求項１乃至３のいずれかに記載の無線送信装置。
【発明の詳細な説明】
【技術分野】
【０００１】
本発明は、パルス信号を用いて変調波を生成し送信する無線通信技術に関する。
【背景技術】
【０００２】
パルス信号を変調波として空中へ伝搬させるインパルス無線と呼ばれる通信方式が提案されている。この無線方式は、ディジタル回路やリング発振器といった簡便な構成でパルス信号を生成することができるため、回路の小型化や低消費電力化に有利であるとされてきた。
【０００３】
パルス信号は、図５（ａ）に示すように、時間的に非常に短い間信号が出力される矩形波であり、図５（ｂ）に示すように、パルス信号のスペクトルは広帯域でかつ高調波成分を有する。この無線方式を使用して無線通信を行う際には、パルス信号の高調波成分を抑制する必要がある。
【０００４】
図６に、従来のインパルス無線通信を行う無線送信器の構成を示す。パルス生成器５１で生成されたパルス信号は非線形増幅器５２で増幅され、フィルタ５３で高調波成分が抑制されて、アンテナ５４より空中へ放射される。非特許文献１では、ディジタル信号処理により高調波の抑制されたパルス信号を予め生成し、増幅器とアンテナの間にバンドパスフィルタを用いている。また、パルス信号を増幅するためにスイッチング素子、すなわち非線形増幅器を用いる場合が多く、図６に示す無線送信器は従来技術より容易に類推できる構成である。
【先行技術文献】
【非特許文献】
【０００５】
【非特許文献１】Vishal V. Kulkarni, et. al., “A 750 Mb/s, 12 pJ/b, 6-to-10 GHz CMOS IR-UWB Transmitter With Embedded On-Chip Antenna”, IEEE Journal of Solid-State Circuits, Feb. 2009, vol. 44, no. 2, pp. 394-403
【発明の概要】
【発明が解決しようとする課題】
【０００６】
瞬間的に生成されるパルス信号を用いた通信は、QPSKやFSKなどの連続的な正弦波を用いた通信と比較して高調波成分が発生しやすい方式である。このため、増幅器とアンテナの間のフィルタのみで高調波成分を抑制する場合は減衰率の高い強力なフィルタが必要となる。
【０００７】
しかしながら、パルス信号を用いた通信は、同じ通信速度を有する連続的な正弦波を用いた通信と比較してスペクトルの占有帯域が広くなるため、挿入損失が低く減衰率が高いフィルタ、例えば音響フィルタを使用することが困難である場合が多く、フィルタを多段接続し減衰率を稼ぐ必要がある。このため、挿入損失の増加による消費電力の増加や実装面積の増加によるコスト増が課題となる。
【０００８】
一方で、ディジタル信号処理で波形整形を行う場合は、パルス信号に対して高速で高い分解能を持つディジタル−アナログ変換器を用いるか、複数のディジタル−アナログ変換器を用いて信号を合算する必要があり、消費電力の増加や回路規模、ＬＳＩピン数の増加によるコスト増が課題となる。
【０００９】
本発明は、上記に鑑みてなされたものであり、消費電力を抑えつつ、高調波成分を簡易な構成で抑制することのできる無線送信器を提供することを目的とする。
【課題を解決するための手段】
【００１０】
本発明に係る無線送信装置は、パルス信号を生成するパルス生成器と、前記パルス生成器の後段に配置され、前記パルス信号の高調波成分を抑制するフィルタと、前記フィルタの後段に配置され、前記パルス信号を増幅する線形増幅器と、前記線形増幅器の後段に配置され、前記パルス信号を無線信号として送信する無線通信の中心周波数に相当する波長より十分に小さいアンテナと、を有することを特徴とする。
【００１１】
上記無線送信装置において、前記フィルタは、前記パルス信号の三次高調波成分以上を抑制し、前記アンテナは、差動信号を入力する差動型のアンテナであることを特徴とする。
【００１２】
上記無線送信装置において、前記線形増幅器と前記アンテナの間に帯域通過フィルタを有することを特徴とする。
【００１３】
上記無線送信装置において、無線通信を行うときのみ前記線形増幅器に電力を供給する電源制御回路を備えたことを特徴とする。
【発明の効果】
【００１４】
本発明によれば、パルス生成器と線形増幅器の間のフィルタによりパルス信号の高調波成分を抑制するとともに、波長より十分に小さい小型のアンテナを使用することで、アンテナ自身が帯域外スペクトルの残渣成分を抑制するので、線形増幅器の後段に高い減衰率を有するフィルタを備える必要がなくなり、消費電力を抑えつつ、高調波成分を簡易な構成で抑制することのできる無線送信器を提供することができる。
【図面の簡単な説明】
【００１５】
【図１】第１の実施の形態における無線送信器の構成を示すブロック図である。
【図２】第２の実施の形態における無線送信器の構成を示すブロック図である。
【図３】第３の実施の形態における無線送信器の構成を示すブロック図である。
【図４】第４の実施の形態における無線送信器の構成を示すブロック図である。
【図５】パルス信号の波形とスペクトルを示す図である。
【図６】従来の無線送信器の構成を示すブロック図である。
【発明を実施するための形態】
【００１６】
以下、本発明の実施の形態について図面を用いて説明する。
【００１７】
［第１の実施の形態］
図１は、第１の実施の形態における無線送信器の構成を示すブロック図である。同図に示す無線送信器は、パルス信号を用いて変調波を生成し送信する無線送信器であり、パルス信号を生成するパルス生成器１１、パルス信号から高調波成分を取り除くフィルタ１２、フィルタ１２から出力されるパルス信号を増幅する線形増幅器１３、および波長より十分に小さい小型アンテナ１４を備える。
【００１８】
パルス生成器１１は、リング発振器やインバータなどを用いて構成する。フィルタ１２としては、抵抗器とコンデンサ、コイルとコンデンサを用いたものや、オペアンプなどトランジスタを用いたものを利用する。線形増幅器１３は、Ａ級・ＡＢ級・Ｂ級・Ｃ級などのバイアス級を有するトランジスタ増幅器であり、ゲート接地、ソース接地、あるいはドレーン接地のいずれでも構わない。小型アンテナ１４は、無線通信の中心周波数に相当する波長に対し、１／１０〜１／１００程度の大きさのアンテナである。例えば、周波数帯が３００ＭＨｚであった場合、その波長は１ｍとなり、想定する小型アンテナ１４のサイズは１０ｃｍ〜１ｃｍである。
【００１９】
パルス生成器１１は、リング発振器やインバータなどを用いることで低消費電力化が可能となるが信号波形が歪んでしまうので、パルス生成器１１の後段にフィルタ１２を備えてパルス信号の高調波成分を予め抑制する。フィルタ１２から出力される信号を線形増幅器１３により増幅することで、高調波成分が抑制された信号が小型アンテナ１４へ供給される。波長より十分に小さい小型アンテナ１４を使用することで、アンテナ自身の帯域制限効果により帯域外スペクトルの残渣成分をフィルタなしで抑制することができる。
【００２０】
以上説明したように、本実施の形態によれば、パルス生成器１１と線形増幅器１３との間に高調波抑制用のフィルタ１２を備えるとともに、増幅器として線形増幅器１３を用い、線形増幅器１３の後段に波長より十分に小さい小型アンテナ１４を備えることにより、小型アンテナ１４自身が帯域外成分を抑制するので、増幅器の後段に高い減衰率を有するフィルタにより高調波成分を抑制する無線送信器に比べて電力損失量が抑えられるとともに、ディジタル信号処理で波形整形を行う場合に比べて電力消費量が低く抑えられ、簡易かつ小型・低コストで無線送信器を提供することができる。
【００２１】
［第２の実施の形態］
図２（ａ）〜（ｃ）は、第２の実施の形態における無線送信器の構成を示すブロック図である。
【００２２】
第２の実施の形態では、パルス生成器１１の後段に配置するフィルタとしてパルス信号の三次高調波以上の成分を抑制する三次抑制フィルタ１５を用いるとともに、小型アンテナを差動化して差動信号を入力し、偶数次高調波成分を抑制する差動型小型アンテナ１６を用いた。
【００２３】
差動信号を生成する方法としては、線形増幅器１３の後段にバランを設ける（図２（ａ））、線形増幅器１３で単相差動変換を行う（図２（ａ））、三次抑制フィルタ１５で変換する（図２（ｂ））、あるいはパルス生成器１１から差動信号を発生する（図２（ｃ））などの方法が考えられる。
【００２４】
第２の実施の形態では、三次抑制フィルタ１５のカットオフ帯域を三次高調波を抑制する帯域とすればよいため、フィルタの設計・調整が簡便となる。
【００２５】
以上説明したように、本実施の形態によれば、パルス生成器１１の後段にパルス信号の三次高調波以上の成分を抑制する三次抑制フィルタ１５を配置するとともに、差動化した差動型小型アンテナ１６を用いることにより、差動型小型アンテナ１６で偶数次高調波成分が抑制されるので、三次抑制フィルタ１５のカットオフ帯域を三次高調波を抑制する帯域とすればよく、フィルタの設計・調整が簡便となる。
【００２６】
［第３の実施の形態］
図３は、第３の実施の形態における無線送信器の構成を示すブロック図である。
【００２７】
第３の実施の形態では、線形増幅器１３と小型アンテナ１４の間に帯域通過フィルタ１７を挿入した。
【００２８】
従来は、増幅器とアンテナの間のフィルタのみで高調波を抑制するため、このフィルタでの電力損失量が問題となっていた。第３の実施の形態では、予めパルス生成器１１の後段のフィルタ１２で高調波を抑制しているため、線形増幅器１３の後段のフィルタ１７の減衰特性は緩やかでよく、挿入損失を低く抑えることが可能となる。
【００２９】
［第４の実施の形態］
図４は、第４の実施の形態における無線送信器の構成を示すブロック図である。
【００３０】
第４の実施の形態では、通信を行うときのみ線形増幅器１３に電力を供給する電源制御回路１８を備えた。
【００３１】
Ａ級・ＡＢ級といった動作級のトランジスタを電流源として使う線形増幅器１３では、線形増幅器１３の電源が投入されている間は常に電力を消費してしまうため、消費電力の増加が課題となる。第４の実施の形態では、通信を行うその瞬間のみに線形増幅器１３に電力を供給する電源制御回路１８を備えることで、他の通信回路やＣＰＵ等の装置が起動していても、通信が行われていないときの消費電力を抑えるもことが可能となる。
【００３２】
なお、第３，４の実施の形態は、第１，２の実施の形態のいずれの無線送信器に適用してもよい。
【符号の説明】
【００３３】
１１…パルス生成器
１２…フィルタ
１３…線形増幅器
１４…小型アンテナ
１５…三次抑制フィルタ
１６…差動型小型アンテナ
１７…帯域通過フィルタ
１８…電源制御回路
５１…パルス生成器
５２…非線形増幅器
５３…フィルタ
５４…アンテナ
【図１】
2015106876.tif 000003
【図２】
2015106876.tif 000004
【図３】
2015106876.tif 000005
【図４】
2015106876.tif 000006
【図５】
2015106876.tif 000007
【図６】
2015106876.tif 000008